【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、
前記Mobile Nodeとして機能するため、アドレスを管理するアドレス管理部と、IKE交渉をするIKE交渉部を含み、
Initiatorとして前記Home AgentとIKE交渉を実施しているときに、第１のForeign Linkとは別の第２のForeign Linkへ移動した場合には、
前記アドレス管理部は、第１のForeign Linkで使用していた第１のCare-of AddressがOff-link Addressとなったことを前記IKE交渉部へ通知し、第２のForeign Linkで使用する第２のCare-of Addressを取得し、
前記IKE交渉部は、IKE交渉中のIKE交渉情報をIKE中断リストに格納してIKE交渉を中断し、前記アドレス管理部から第２のCare-of Addressを取得して、前記IKE中断リストに格納された前記IKE交渉情報を基にしてIKE交渉を再開する
ことを特徴とするノード装置。
【請求項２】
IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、
前記Home Agentとして機能するため、IKE交渉をするIKE交渉部と、Registrationを実施するRegistration管理部を含み、
Initiatorとして前記Mobile NodeとIKE交渉を実施しているときに、前記Mobile Nodeが第１のForeign Linkとは別の第２のForeign Linkへ移動した場合には、
前記Registration管理部は、前記Mobile Nodeから実施されるHome Registrationにより、前記Mobile Nodeが登録している第１のCare-of Addressが第２のCare-of Addressに更新されたことを前記IKE交渉部へ通知し、
前記IKE交渉部は、前記Registration管理部からの通知に基づいて、実施中のIKE交渉を中断して第２のCare-of Addressを使ったIKE交渉を再開する
ことを特徴とするノード装置。
【請求項３】
IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、
前記Mobile NodeがInitiatorとして前記Home AgentとIKE交渉を実施しているときに、前記Mobile Nodeが第１のForeign Linkとは別の第２のForeign Linkへ移動した場合には、
第１のForeign Linkで使用していた第１のCare-of AddressがOff-link Addressとなったことを確認するアドレス状態確認手順と、
IKE交渉中のIKE交渉情報をIKE中断リストとして保有してIKE交渉を中断するIKE中断手順と、
第２のForeign Linkで使用する第２のCare-of Addressを取得し、前記IKE中断リストに格納されている前記IKE交渉情報を基にしてIKE交渉を再開するIKE再開手順と、
によってIKE交渉を維持することを特徴とするIKE継続方法。
【請求項４】
IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、
前記Home AgentがInitiatorとして前記Mobile NodeとIKE交渉を実施しているときに、前記Mobile Nodeが第１のForeign Linkとは別の第２のForeign Linkへ移動した場合には、
前記Mobile Nodeから前記Home Agentに対して実施されるHome Registrationにより、前記Mobile Nodeが登録している第１のCare-of Addressが第２のCare-of Addressに更新されたことを確認するアドレス状態確認手順と、
実施中であるIKE交渉を中断するIKE中断手順と、
第２のCare-of Addressを使用したIKE交渉を再開するIKE再開手順と、によってIKE交渉を維持することを特徴とするIKE継続方法。
【手続補正２】
【補正対象書類名】明細書
【補正対象項目名】００１０
【補正方法】変更
【補正の内容】
【００１０】
上記問題を解決するために、本発明は次のように構成したのである。
すなわち、本発明第１の構成によるノード装置は、IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、前記Mobile Nodeとして機能するため、アドレスを管理するアドレス管理部と、IKE交渉をするIKE交渉部を含み、Initiatorとして前記Home AgentとIKE交渉を実施しているときに、第１のForeign Linkとは別の第２のForeign Linkへ移動した場合には、前記アドレス管理部は、第１のForeign Linkで使用していた第１のCare-of AddressがOff-link Addressとなったことを前記IKE交渉部へ通知し、第２のForeign Linkで使用する第２のCare-of Addressを取得し、前記IKE交渉部は、IKE交渉中のIKE交渉情報をIKE中断リストに格納してIKE交渉を中断し、前記アドレス管理部から第２のCare-of Addressを取得して、前記IKE中断リストに格納された前記IKE交渉情報を基にしてIKE交渉を再開することを特徴としている。
また、本発明第２の構成によるノード装置は、IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、前記Home Agentとして機能するため、IKE交渉をするIKE交渉部と、Registrationを実施するRegistration管理部を含み、Initiatorとして前記Mobile NodeとIKE交渉を実施しているときに、前記Mobile Nodeが第１のForeign Linkとは別の第２のForeign Linkへ移動した場合には、前記Registration管理部は、前記Mobile Nodeから実施されるHome Registrationにより、前記Mobile Nodeが登録している第１のCare-of Addressが第２のCare-of Addressに更新されたことを前記IKE交渉部へ通知し、前記IKE交渉部は、前記Registration管理部からの通知に基づいて、実施中のIKE交渉を中断して第２のCare-of Addressを使ったIKE交渉を再開することを特徴としている。
また、本発明第３の構成によるIKE継続方法は、IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、前記Mobile NodeがInitiatorとして前記Home AgentとIKE交渉を実施しているときに、前記Mobile Nodeが第１のForeign Linkとは別の第２のForeign Linkへ移動した場合には、第１のForeign Linkで使用していた第１のCare-of AddressがOff-link Addressとなったことを確認するアドレス状態確認手順と、IKE交渉中のIKE交渉情報をIKE中断リストとして保有してIKE交渉を中断するIKE中断手順と、第２のForeign Linkで使用する第２のCare-of Addressを取得し、前記IKE中断リストに格納されている前記IKE交渉情報を基にしてIKE交渉を再開するIKE再開手順と、によってIKE交渉を維持することを特徴としている。
また、本発明第４の構成によるIKE継続方法は、IPsecとIKEが使用されるHome Link上のHome Agentに、IPsecとIKEが使用されるForeign Link上のMobile NodeのHome Addressを登録することにより、前記Mobile NodeがどのForeign Link上にあっても、前記Home Addressを使ったパケット通信をすることができるMobile IPネットワークシステムにおいて使用され、前記Home AgentがInitiatorとして前記Mobile NodeとIKE交渉を実施しているときに、前記Mobile Nodeが第１のForeign Linkとは別の第２のForeign Linkへ移動した場合には、前記Mobile Nodeから前記Home Agentに対して実施されるHome Registrationにより、前記Mobile Nodeが登録している第１のCare-of Addressが第２のCare-of Addressに更新されたことを確認するアドレス状態確認手順と、実施中であるIKE交渉を中断するIKE中断手順と、第２のCare-of Addressを使用したIKE交渉を再開するIKE再開手順と、によってIKE交渉を維持することを特徴としている。